(57)【要約】【課題】  部材数が少なく構造が簡素な折り畳み式棚を提供する。【解決手段】  支持部材と、棚部材とを備え、支持部材と棚部材とは一対のアームのみにより連結され、一方のアームの一端は支持部材の一側に他端は棚部材の一側に回動可能に連結され、他方のアームの一端は支持部材の他側に他端は棚部材の他側に回動可能に連結され、一対のアームを支持部材との連結部の回りに回動させると共に棚部材をアームとの連結部の回りに回動させて棚部材を支持部材に接近させた折り畳み時に棚部材を支持部材に係止させる係止手段と、一対のアームを支持部材との連結部の回りに回動させると共に棚部材をアームとの連結部の回りに回動させて棚部材を支持部材から離隔させた伸展時に棚部材の自重と棚部材上の荷重とによる支持部材に対するアームの回動を規制する第１規制手段と、伸展時に棚部材と棚部材上の荷重とによるアームに対する棚部材の回動を規制する第２規制手段とを備える。【選択図】  図１
2008289618.tif 000002
【特許請求の範囲】
【請求項１】
支持部材と、棚部材とを備え、支持部材と棚部材とは一対のアームのみにより連結され、一方のアームの一端は支持部材の一側に他端は棚部材の一側に回動可能に連結され、他方のアームの一端は支持部材の他側に他端は棚部材の他側に回動可能に連結され、一対のアームを支持部材との連結部の回りに回動させると共に棚部材をアームとの連結部の回りに回動させて棚部材を支持部材に接近させた折り畳み時に棚部材を支持部材に係止させる係止手段と、一対のアームを支持部材との連結部の回りに回動させると共に棚部材をアームとの連結部の回りに回動させて棚部材を支持部材から離隔させた伸展時に棚部材の自重と棚部材上の荷重とによる支持部材に対するアームの回動を規制する第１規制手段と、伸展時に棚部材と棚部材上の荷重とによるアームに対する棚部材の回動を規制する第２規制手段とを備えることを特徴とする折り畳み式棚。
【請求項２】
係止手段は、アームに配設された単一の小孔と、支持部材により弾性支持されて小孔の一端から小孔に進入可能な突起と、棚部材により弾性支持されて小孔の他端から小孔に進入可能な突起とを有することを特徴とする請求項１に記載の折り畳み式棚。
【請求項３】
第１規制手段は、支持部材に形成された大径円部と小径長円部とを有するダルマ穴と、アームに配設され、ダルマ穴の小径長円部に係止可能な且つダルマ穴の大径円部内で当該大径円部に対して相対回動可能な長円形断面又は楕円形断面または長方形断面の突起とを有することを特徴とする請求項１又は２に記載の折り畳み式棚。
【請求項４】
第２規制手段は、棚部材に配設されアームの側面に当接可能な突起を有することを特徴とする請求項１乃至３の何れか１項に記載の折り畳み式棚。
【請求項５】
支持部材が洗面化粧台の収納部下面に取り付けられ、折り畳み動作と伸展動作とに伴って棚部材が昇降し、アームと支持部材との連結部が、洗面化粧台の揺動開閉鏡の下端よりも下方に位置決めされていることを特徴とする請求項１乃至４の何れか１項に記載の折り畳み式棚。
【請求項６】
請求項５に記載の折り畳み式棚を備えることを特徴とする洗面化粧台。
【請求項７】
収納部と、上下に延在する軸線回りに揺動開閉可能に前記収納部の前面に取り付けられた三面鏡とを備え、折り畳み式棚は袖鏡の下方に且つ当該袖鏡の揺動軸線から離隔する側端部から前記揺動軸線方向に片寄せて配設されていることを特徴とする請求項６に記載の洗面化粧台。
【請求項８】
折り畳み棚の支持部材の下面が揺動開閉鏡の下端と面一に配設されていることを特徴とする請求項６又は７に記載の洗面化粧台。
【発明の詳細な説明】
【技術分野】
【０００１】
本発明は、折り畳み式棚及び折り畳み式棚を備える洗面化粧台に関するものである。
【背景技術】
【０００２】
支持部材と、棚部材とを備え、支持部材と棚部材とが一対のアーム組立体により連結され、アーム組立体はＸ字状に交差した複数のアームを有し、一方のアーム組立体の一端は支持部材の一側に他端は棚部材の一側に回動可能に連結され、他方のアーム組立体の一端は支持部材の他側に他端は棚部材の他側に回動可能に連結され、一対のアーム組立体を支持部材との連結部の回りに回動させると共に棚部材をアーム組立体との連結部の回りに回動させて棚部材を支持部材に接近させた折り畳み時に棚部材を支持部材に係止させる係止手段を備えることを特徴とする折り畳み式棚が特許文献１に開示されている。
【特許文献１】特開２００３−０３３２３６号公報
【発明の開示】
【発明が解決しようとする課題】
【０００３】
特許文献１の折り畳み式棚には、伸展時に棚を水平に延在させるために複数のアームを有するアーム組立体を用いて支持部材の両側と棚部材の両側とを連結しているので、部材数が多く構造が複雑であるという問題がある。
本発明は上記問題に鑑みてなされたものであり、部材数が少なく構造が簡素な折り畳み式棚を提供することを目的とする。更に本発明は前記折り畳み式棚を備える洗面化粧台を提供することを目的とする。
【課題を解決するための手段】
【０００４】
上記課題を解決するために、本発明においては、支持部材と、棚部材とを備え、支持部材と棚部材とは一対のアームのみにより連結され、一方のアームの一端は支持部材の一側に他端は棚部材の一側に回動可能に連結され、他方のアームの一端は支持部材の他側に他端は棚部材の他側に回動可能に連結され、一対のアームを支持部材との連結部の回りに回動させると共に棚部材をアームとの連結部の回りに回動させて棚部材を支持部材に接近させた折り畳み時に棚部材を支持部材に係止させる係止手段と、一対のアームを支持部材との連結部の回りに回動させると共に棚部材をアームとの連結部の回りに回動させて棚部材を支持部材から離隔させた伸展時に棚部材の自重と棚部材上の荷重とによる支持部材に対するアームの回動を規制する第１規制手段と、伸展時に棚部材と棚部材上の荷重とによるアームに対する棚部材の回動を規制する第２規制手段とを備えることを特徴とする折り畳み式棚を提供する。
本発明に係る折り畳み式棚においては、支持部材と棚部材とが一対のアームのみによって連結されており、従来に比べて部材数が減少し構造が簡素化されている。
本発明に係る折り畳み式棚においては、伸展時に、棚部材の自重と棚部材上の荷重とによる支持部材に対するアームの回動を第１規制手段により規制すると共に、棚部材と棚部材上の荷重とによるアームに対する棚部材の回動を第２規制手段により規制するので、支持部材と棚部材とを一対のアームのみにより連結しても、伸展時に棚部材を水平に延在させることができる。
【０００５】
本発明の好ましい態様においては、係止手段は、アームに配設された単一の小孔と、支持部材により弾性支持されて小孔の一端から小孔に進入可能な突起と、棚部材により弾性支持されて小孔の他端から小孔に進入可能な突起とを有する。
支持部材により弾性支持された突起と、棚部材により弾性支持された突起とを、アームに配設した単一の小孔の両端部から小孔に進入させることにより、折り畳み時に、棚部材を支持部材に係止することができる。単一の小孔を支持部材の突起と棚部材の突起とが共用するので、アームに形成する小孔の数が最小になり、折り畳み式棚の構成が簡素化される。
【０００６】
本発明の好ましい態様においては、第１規制手段は、支持部材に形成された大径円部と小径長円部とを有するダルマ穴と、アームに配設され、ダルマ穴の小径長円部に係止可能な且つダルマ穴の大径円部内で当該大径円部に対して相対回動可能な長円形断面又は楕円形断面または長方形断面の突起とを有する。
長円形断面又は楕円形断面または長方形断面の突起をダルマ穴の小径長円部に係止させることにより、伸展時に棚部材の自重と棚部材上の荷重とによる支持部材に対するアームの回動を規制することができる。
【０００７】
本発明の好ましい態様においては、第２規制手段は、棚部材に配設されアームの側面に当接可能な突起を有する。
棚部材に配設された突起をアームの側面に当接させることにより、伸展時に棚部材と棚部材上の荷重とによるアームに対する棚部材の回動を規制することができる。
【０００８】
本発明の好ましい態様においては、支持部材が洗面化粧台の収納部下面に取り付けられ、折り畳み動作と伸展動作とに伴って棚部材が昇降し、アームと支持部材との連結部が、洗面化粧台の揺動開閉鏡の下端よりも下方に位置決めされている。
洗面化粧台は、前面が開放された収納部と収納部の前面を覆う揺動開閉鏡とを有している。洗面化粧台の収納部下面に本発明に係る折り畳み式棚を取り付ければ、洗面や手洗いの際に折り畳み式棚を伸展させて棚部材を鏡の下方へ降下させ、眼鏡や腕時計等の小物を棚部材に載置できるので便利であると共に、不使用時には折り畳み式棚を折り畳んで棚部材を上昇させ、収納部下面に密着して収容できるので洗面化粧台の美感を損なわない。
洗面化粧台の揺動開閉鏡の下端は、当該鏡を開閉する際の手掛かりとして利用すべく、収納部の下面よりも下方に位置決めされている。折り畳み式棚の棚部材は、小物載置面積を出来るだけ大きく取るために洗面化粧台の収納部の奥行きと同程度の奥行きを有することが望ましい。伸展時に、棚部材の自重と棚部材上の荷重による棚部材のアームに対する相対回動は第２規制手段により規制されるが、前記相対回動とは逆方向の棚部材のアームに対する相対回動は規制されていないので、折り畳み式棚の利用者は、棚部材をアームに対して前記逆方向へ相対回動させることができる。棚部材の奥行きを広くとると、棚部材をアームに対して前記逆方向へ相対回動させた際、棚部材が揺動開閉鏡の下端に干渉して鏡を損傷させるおそれがある。折り畳み式棚のアームと支持部材との連結部を、洗面化粧台の揺動開閉鏡の下端よりも下方に位置決めして、伸展時の棚部材の高さ位置を低くしておけば、棚部材の奥行きを広くとっても、棚部材をアームに対して前記逆方向へ相対回動させた際、棚部材が揺動開閉鏡の下端に干渉して鏡を損傷させるおそれは無くなる。
【０００９】
本発明においては、上記何れかの折り畳み式棚を備えることを特徴とする洗面化粧台を提供する。
本発明に係る洗面化粧台は、折り畳み可能な棚を備えるので、使い勝手が良い。
【００１０】
本発明の好ましい態様においては、洗面化粧台は、収納部と、上下に延在する軸線回りに揺動開閉可能に前記収納部の前面に取り付けられた三面鏡とを備え、折り畳み式棚は袖鏡の下方に且つ当該袖鏡の揺動軸線から離隔する側端部から前記揺動軸線方向に片寄せて配設されている。
洗面化粧台が三面鏡を備える場合、中央の鏡の下方に折り畳み式棚を配設すると洗面の際に邪魔になる。従って、折り畳み式棚は袖鏡の下方に配設するのが望ましい。この場合、折り畳み式棚を、袖鏡の揺動軸線から離隔する側端部から前記揺動軸線方向に片寄せて配設し、袖鏡の前記揺動軸線から離隔する側端部の下端部を、袖鏡を揺動開閉する際の手掛かりとして利用できるようにするのが望ましい。
【００１１】
本発明の好ましい態様においては、折り畳み棚の支持部材の下面が揺動開閉鏡の下端と面一に配設されている。
折り畳み棚の支持部材の下面を揺動開閉鏡の下端と面一に配設することにより、折り畳み棚を折り畳む際に、揺動開閉鏡の下端と折り畳み式棚の棚部材とによって指が挟まれる事態の発生が防止される。
【発明の効果】
【００１２】
本発明に係る折り畳み式棚においては、支持部材と棚部材とが一対のアームのみによって連結されており、従来に比べて部材数が減少し構造が簡素化されている。
本発明に係る折り畳み式棚においては、伸展時に、棚部材の自重と棚部材上の荷重とによる支持部材に対するアームの回動を第１規制手段により規制すると共に、棚部材と棚部材上の荷重とによるアームに対する棚部材の回動を第２規制手段により規制するので、支持部材と棚部材とを一対のアームのみにより連結しても、伸展時に棚部材を水平に延在させることができる。
【発明を実施するための最良の形態】
【００１３】
以下の説明において、図１〜図５の矢印I II III IV V VIの方向を前方、後方、左方、右方、上方、下方と呼ぶ。
図１に示すように、折り畳み式棚Ａは、支持部材１と、支持部材１の下方に配設された棚部材２と、支持部材１と棚部材２を連結する左右一対のアーム３とを備えている。
【００１４】
支持部材１は、前方から見て門形の前側板１１と、前側板１１の内側縁から後方へ延びる左右一対の内側板１２と、前側板１１の外側縁から後方へ延びる左右一対の外側板１３と、左右一対の内側板１２の上縁と前側板１１の桁部の下縁とを連結する頂板１４と、内側板１２の後縁と外側板１３の後縁とを連結する左右一対の後側板１５とを備えている。
各内側板１２の前端近傍部に、大径円部と前方下方へ差し向けられた小径長円部とを有するダルマ穴１２ａが形成されている。各内側板１２の後部に、小孔１２ｂが形成されている。
各小孔１２ｂに隣接して、内側板１２と外側板１３との間に有底筒体１６が配設されている。有底筒体１６は、開放端を内側板１２に当接させた状態で、止金１７によって内側板１２に固定されている。有底筒体１６内にコイルバネ１８が収容されている。コイルバネ１８の一端は有底筒体１６の底壁に当接している。コイルバネ１８の他端に係合したボール１９がコイルバネ１８の他端を有底筒体１６内へ押し込んでいる。ボール１９は、小孔１２ｂよりも僅かに大径に形成されている。この結果、左側の有底筒体１６に収容されたボール１９は、コイルバネ１８の弾性力を受けて、一部が小孔１２ｂを通って左側の内側板１２から右方へ突出し、右側の有底筒体１６に収容されたボール１９は、コイルバネ１８の弾性力を受けて、一部が小孔１２ｂを通って右側の内側板１２から左方へ突出している。
【００１５】
棚部材２は、前側板２１と、前側板２１の両側縁から後方へ延びる左右一対の側板２２と、左右一対の側板２２の後縁を連結する後側板２３と、各側板の上縁を連結する頂板２４とを備えている。後側板２３の左端部は、左側の側板２２の後縁から更に左方へ延び、後側板２３の右端部は、右側の側板２２の後縁から更に右方へ延びて、それぞれ突起２３ａを形成している。各側板２２の略中央部に小孔２２ａが形成されている。
小孔２２ａに隣接して、両側板２２の間に有底筒体１６が配設されている。有底筒体１６は、開放端を側板２２に当接させた状態で、止金１７によって側板２２に固定されている。有底筒体１６内にコイルバネ１８が収容されている。コイルバネ１８の一端は有底筒体１６の底壁に当接している。コイルバネ１８の他端に係合したボール１９がコイルバネ１８の他端を有底筒体１６内へ押し込んでいる。ボール１９は、小孔２２ａよりも僅かに大径に形成されている。この結果、左側の有底筒体１６に収容されたボール１９は、コイルバネ１８の弾性力を受けて、一部が小孔２２ａを通って左側の側板２２から左方へ突出し、右側の有底筒体１６に収容されたボール１９は、コイルバネ１８の弾性力を受けて、一部が小孔２２ａを通って右側の側板２２から右方へ突出している。
【００１６】
アーム３の略中央部に小孔３ａが形成されている。アーム３の上端近傍に、長円形断面の突起３ｂが立設されている。左側のアーム３の突起３ｂはアーム３から左方へ突出し、右側のアーム３の突起３ｂはアーム３から右方に突出している。
左側のアーム３の下端部は、棚部材２の左側の側板２２の後端部に、左方から当接すると共に、側板２２に直交する軸線回りに回動可能に、連結されている。左側のアーム３の突起３ｂが左側のダルマ穴１２ａに右方から係合することにより、左側のアーム３の上端部は、支持部材１の左側の内側板１２の前端近傍部に、内側板１２に直交する軸線回りに回動可能に、連結されている。
右側のアーム３の下端部は、棚部材２の右側の側板２２の後端部に、右方から当接すると共に、側板２２に直交する軸線回りに回動可能に、連結されている。右側のアーム３の突起３ｂが右側のダルマ穴１２ａに左方から係合することにより、右側のアーム３の上端部は、支持部材１の右側の内側板１２の前端近傍部に、内側板１２に直交する軸線回りに回動可能に、連結されている。
【００１７】
図２に示すように、折り畳み式棚Ａは、前面が開放された収納部１００と収納部１００の前面を覆う上下に延在する軸線回りに揺動開閉可能な鏡１０１とを有する洗面化粧台Ｂの、収納部下面に取り付けられている。より具体的には、折り畳み式棚Ａの支持部材１が、前側板１１の前面を収納部１００の開放端と面一に延在させ、且つ支持部材１の下面を形成する頂板１４を鏡１０１の下端と面一に延在させ、且つアーム３と支持部材１との連結部を形成するダルマ穴１２ａを揺動開閉鏡１０１の下端よりも下方に位置決めして、収納部１００の底壁１００’の下面に固定されている。揺動開閉鏡１０１の下端は、当該鏡を開閉する際の手掛かりとして利用すべく、収納部の下面よりも下方に位置決めされている。従って、支持部材１の前側板１１の左右に延在する桁部は、揺動開閉鏡１０１の下端部の後方に隠れている。
【００１８】
折り畳み式棚Ａの作動を説明する。
折り畳み式棚Ａの伸展時には、図２に示すように、左右一対のアーム３は上端から下端へ向けて鉛直に延在し、棚部材２は後端から前端へ向けて水平に延在している。棚部材２は、支持部材１から下方前方へ離隔しており、揺動開閉鏡１０１の下端からも下方へ離隔しており、且つ揺動開閉鏡１０１の前面よりも前方へ突出している。棚部材２の頂板２４には、図示しない眼鏡、腕時計等の小物が載置されている。アーム３の突起３ｂがダルマ穴１２ａの小径長円部に係止することにより、棚部材２の自重と棚部材２上の荷重とによる支持部材１に対するアーム３の回動が規制されている。棚部材２の突起２３ａがアーム３の下端部後側面に当接することにより、棚部材２の自重と棚部材２上の荷重とによるアーム３に対する棚部材２の回動が規制されている。この結果、棚部材２が水平に延在する状態が維持されている。
【００１９】
折り畳み式棚Ａを折り畳む際には、先ず図３に実線で示すように、棚部材２の前端を僅かに前方上方へ移動させて、左右一対のアーム３の突起３ｂを左右一対のダルマ穴１２ａの小径長円部に係止した状態から解放し、次いで図３に一点鎖線で示すように、棚部材２と左右一対のアーム３とを僅かに後方上方へ剛体移動させて、左右一対のアーム３の突起３ｂを左右一対のダルマ穴１２ａの小径長円部から離脱させ、ダルマ穴１２ａの大径円部に係合させる。
【００２０】
次いで、図４に示すように、棚部材２を水平に保持しつつ後方上方へ移動させる。左右一対のアーム３の突起３ｂが左右一対のダルマ穴１２ａの大径円部内で回動して、左右一対のアーム３が、支持部材１との連結部の回りに回動すると共に、棚部材２が左右一対のアーム３との連結部の回りにアーム３に対して回動して、棚部材２が後方上方へ移動する。支持部材１に対するアーム３の回動と、アーム３に対する棚部材２の回動とに伴って、左側のアーム３が、支持部材１の左側のボール１９と、棚部材２の左側のボール１９とに干渉し、右側のアーム３が、支持部材１の右側のボール１９と、棚部材２の右側のボール１９とに干渉するが、ボール１９が小孔１２ｂ、２２ａ内へ移動するので、支持部材１に対するアーム３の回動と、アーム３に対する棚部材２の回動とは妨げられない。
【００２１】
図５に示すように、棚部材２が支持部材１に接近し、棚部材２の頂板２４が支持部材１の頂板１４に下方から当接して、折り畳み式棚Ａが折り畳まれると、支持部材１の左右一対の小孔１２ｂと、左右一対のアーム３の小孔３ａと、棚部材２の左右一対の小孔２２ａとが整列する。ボール１９はコイルバネ１８の弾性力を受けている。この結果、支持部材１の左側のボール１９が左側のアーム３の小孔３ａの左端から前記小孔３ａに進入し、棚部材２の左側のボール１９が左側のアーム３の小孔３ａの右端から前記小孔３ａに進入する。また、支持部材１の右側のボール１９が右側のアーム３の小孔３ａの右端から前記小孔３ａに進入し、棚部材２の右側のボール１９が右側のアーム３の小孔３ａの左端から前記小孔３ａに進入する。この結果、左右一対のアーム３が支持部材１に係止され、棚部材２が左右一対のアーム３に係止されて、棚部材２が支持部材１に係止される。
図５から分かるように、折り畳み時には、棚部材２の後端は支持部材１の後端よりも後方に在る。従って、棚部材２の突起２３ａは支持部材１と干渉せず、折り畳み動作を阻害しない。
【００２２】
折り畳み式棚Ａを折り畳まれた状態から伸展した状態へ移行させる際には、上記手順と逆の手順を取れば良い。
【００２３】
折り畳み式棚Ａにおいては、支持部材１と棚部材２とが左右一対のアーム３のみによって連結されており、従来に比べて部材数が減少し構造が簡素化されている。
折り畳み式棚Ａにおいては、伸展時に、棚部材２の自重と棚部材２上の荷重とによる支持部材１に対するアーム３の回動を、ダルマ穴１２ａの小径長円部にアーム３の長円形断面の突起３ｂを係止させることにより規制し、また伸展時に、棚部材２と棚部材２上の荷重とによるアーム３に対する棚部材２の回動を、棚部材２の突起２３ａをアーム３の下端部後側面に当接させることにより規制したので、支持部材１と棚部材２とを左右一対のアーム３のみによって連結しても、伸展時に棚部材２を水平に延在させることができる。
折り畳み式棚Ａにおいては、棚部材２を支持部材１に係止させる際に、アーム３に形成した単一の小孔３ａを支持部材１のボール１９と棚部材２のボール１９とが共用するので、アーム３に形成する係止用小孔の数が最小になり、構成が簡素化されている。
折り畳み式棚Ａにおいては、ダルマ穴１２ａに突起３ｂを係合させることにより、簡便に、アーム３を支持部材１に回動可能に連結すると共に、伸展時の棚部材２の自重と棚部材２上の荷重とによるアーム３の支持部材１に対する回動を規制している。
折り畳み式棚Ａにおいては、棚部材２の突起２３ａをアーム３の下端部後側面に当接させることにより、簡便に、伸展時の棚部材２の自重と棚部材２上の荷重とによる棚部材２のアーム３に対する回動を規制している。
【００２４】
図２から分かるように、洗面化粧台Ｂの収納部１００の下面に折り畳み式棚Ａを取り付ければ、洗面や手洗いの際に折り畳み式棚Ａを伸展させて棚部材２を揺動開閉鏡１０１の下方へ降下させ、眼鏡や腕時計等の小物を棚部材２に載置できるので便利であると共に、図５から分かるように、不使用時には折り畳み式棚Ａを折り畳んで棚部材２を上昇させ、収納部１００の下面直下に収容できるので洗面化粧台Ｂの美感を損なわない。
折り畳み式棚Ａを備える洗面化粧台Ｂは使い勝手が良い。
【００２５】
図２から分かるように、洗面化粧台Ｂの揺動開閉鏡１０１の下端は、当該鏡を開閉する際の手掛かりとして利用すべく、収納部１００の下面よりも下方に位置決めされている。折り畳み式棚Ａの棚部材２は、小物載置面積を出来るだけ大きく取るために洗面化粧台の収納部の奥行きと同程度の奥行きを有することが望ましい。伸展時に、棚部材２の自重と棚部材２上の荷重による棚部材２のアーム３に対する相対回動は、棚部材２の突起２３ａがアーム３の下端部後側面に当接することにより規制されるが、図２に白抜矢印で示す前記相対回動とは逆方向の棚部材２のアーム３に対する相対回動は規制されていないので、折り畳み式棚Ａの利用者は、棚部材２をアーム３に対して前記逆方向へ相対回動させることができる。棚部材２の奥行きを広くとると、棚部材２をアーム３に対して前記逆方向へ相対回動させた際、棚部材２が揺動開閉鏡１０１の下端に干渉して揺動開閉鏡１０１を損傷させるおそれがある。係る危険を回避するために、アーム３と支持部材１との連結部を形成するダルマ穴１２ａを、揺動開閉鏡１０１の下端よりも下方に位置決めして、伸展時の棚部材２の高さ位置を低くしている。
支持部材１の下面を形成する頂板１４が鏡１０１の下端と面一に延在しているので、棚部材２を折り畳む際に、鏡１０１の下端の後方角部と棚部材２の前面上端角部とで指を挟む事態の発生が防止される。
【００２６】
上記実施例において、突起３ｂの断面形状を長円形から楕円形或いは長方形に変更しても良い。
上記実施例において、ボール１９と小孔３ａとを用いて棚部材２を支持部材１に係止するのに代えて、棚部材２の頂版２４の下面と支持部材１の頂板１４の上面とに取り付けた磁石、或いは棚部材２の側板２２と支持部材１の内側板１２とに取り付けた磁石を用いて、棚部材２を支持部材１に係止しても良い。
【００２７】
図６に示すように、洗面化粧台Ｂが上下に延在する軸線回りに揺動開閉可能な三面鏡１０１ａ、１０１ｂ、１０１ｃを備える場合、折り畳み式棚Ａは袖鏡１０１ｂ又は１０１ｃの下方に、且つ当該袖鏡の揺動軸線Ｘから離隔する側端部から前記揺動軸線Ｘ方向に片寄せて配設するのが望ましい。
洗面化粧台Ｂが三面鏡１０１ａ、１０１ｂ、１０１ｃを備える場合、中央の鏡１０１ａの下方に折り畳み式棚Ａを配設すると洗面の際に邪魔になる。従って、折り畳み式棚Ａは、袖鏡１０１ｂ又は１０１ｃの下方に配設するのが望ましい。この場合、折り畳み式棚Ａを、袖鏡１０１ｂ又は１０１ｃの揺動軸線Ｘから離隔する側端部から前記揺動軸線Ｘ方向に片寄せて配設し、袖鏡１０１ｂ又は１０１ｃの前記揺動軸線Ｘから離隔する側端部の下端部１０１ｂ’又は１０１ｃ’を、袖鏡１０１ｂ又は１０１ｃを揺動開閉する際の手掛かりとして利用できるようにするのが望ましい。
【図面の簡単な説明】
【００２８】
【図１】本発明の実施例に係る折り畳み式棚の分解斜視図である。（ａ）全体斜視図であり、（ｂ）は部分斜視図である。
【図２】本発明の実施例に係る折り畳み式棚の作動を示す図である。（ａ）は伸展時の側面図であり、（ｂ）は（ａ）の部分拡大図である。
【図３】本発明の実施例に係る折り畳み式棚の作動を示す図である。（ａ）は折り畳み開始時の側面図であり、（ｂ）は（ａ）の部分拡大図である。
【図４】本発明の実施例に係る折り畳み式棚の作動を示す図である。（ａ）は折り畳み中の側面図であり、（ｂ）は（ａ）の部分拡大図である。
【図５】本発明の実施例に係る折り畳み式棚の作動を示す図である。（ａ）は折り畳み時の側面図であり、（ｂ）は（ａ）の部分拡大図である。
【図６】本発明の実施例に係る折り畳み式棚を備える洗面化粧台の斜視図である。
【符号の説明】
【００２９】
Ａ  折り畳み式棚
Ｂ  洗面化粧台
１  支持部材
２  棚部材
３  アーム
３ａ  小孔
３ｂ  突起
１２ａ  ダルマ穴
１２ｂ  小孔
１９  ボール
２２ａ  小孔
２３ａ  突起
１００  収納部
１０１  揺動開閉鏡
１０１ｂ、１０１ｃ  三面鏡の袖鏡
【図１】
2008289618.tif 000003
【図２】
2008289618.tif 000004
【図３】
2008289618.tif 000005
【図４】
2008289618.tif 000006
【図５】
2008289618.tif 000007
【図６】
2008289618.tif 000008